(57)【特許請求の範囲】
【請求項１】
トレイを搬入可能な貯蔵室を有する断熱箱と、
前記貯蔵室内に設けられ、前記貯蔵室内を冷蔵室と温蔵室とに仕切る仕切壁と、
前記仕切壁を構成し、前記トレイが前記冷蔵室と前記温蔵室とに跨って配されるよう隙間を空ける形で上下に並ぶとともに、前記トレイの搬入方向に沿って延びる少なくとも２つの壁部と、
前記少なくとも２つの壁部のいずれかに配されて前記隙間の一部を塞ぐとともに、前記搬入方向について前記トレイを位置決めするトレイストッパであって、前記トレイによる押圧に伴って前記隙間から退避可能なトレイストッパと、
前記少なくとも２つの壁部のうち前記トレイストッパが配される壁部に設けられ、前記トレイストッパと対向状に配されて前記隙間から退避する前記トレイストッパの少なくとも一部が当接されることでその変位を規制する変位規制部と、
前記トレイストッパと前記変位規制部との間に介在する形で配され、前記搬入方向に沿って延在する片持ち状をなし、前記トレイストッパを弾性的に支持する弾性支持部と、
前記弾性支持部の自由端を前記トレイストッパ側に屈曲させて形成される屈曲部であって、少なくとも前記トレイストッパが前記変位規制部に当接した状態で前記トレイストッパから離間した位置に配される屈曲部と、を備える冷温蔵装置。
【請求項２】
前記弾性支持部は、前記屈曲部に連なる部分を前記トレイストッパ側に屈曲して形成され、その屈曲角度が前記屈曲部の屈曲角度よりも小さい第２の屈曲部を有する請求項１記載の冷温蔵装置。
【請求項３】
前記トレイストッパは、前記弾性支持部側に向けて開口して前記屈曲部が差し込まれる開口部と、前記開口部の開口縁からなり前記弾性支持部に当接されて支持される被支持部と、前記開口部の開口縁からなり前記屈曲部を挟んで前記被支持部と対向状に配される対向状部と、を少なくとも有しており、
前記屈曲部は、前記対向状部の側面に対して傾斜状をなしている請求項１または請求項２記載の冷温蔵装置。
【請求項４】
前記トレイストッパに設けられ、前記搬入方向について間隔を空けた位置に配される一対の被ガイド部と、
前記少なくとも２つの壁部のうち前記トレイストッパが配される前記壁部に設けられ、前記搬入方向に対して傾斜状をなし、前記一対の被ガイド部のうちの一方の被ガイド部が摺接されることで前記隙間からの前記トレイストッパの退避動作をガイドするガイド部と、を備えており、
前記変位規制部は、前記ガイド部に連なるとともに前記一対の被ガイド部のうちの他方の被ガイド部に当接される請求項１から請求項３のいずれか１項に記載の冷温蔵装置。
【発明の詳細な説明】
【技術分野】
【０００１】
本発明は、冷温蔵装置に関する。
【背景技術】
【０００２】
従来、冷蔵室と温蔵室を備えた冷温蔵装置として、下記特許文献１に記載のものが知られている。特許文献１のものでは、冷蔵室と温蔵室とを仕切る仕切壁を備えている。また、トレイは、仕切壁を跨ぐ形で冷蔵室と温蔵室の双方に亘って配されている。これにより、トレイ上の温食を温蔵室に配置し、冷食を冷蔵室に配置することができる。
【先行技術文献】
【特許文献】
【０００３】
【特許文献１】特開２０１４−５４５２２号公報
【発明の概要】
【発明が解決しようとする課題】
【０００４】
上述した構成において、仕切壁にトレイの位置決めを行うためのトレイストッパが設けられたものが知られている。このようなトレイストッパは、トレイに押圧されることで、仕切壁の内部に退避する構成となっており、トレイの出し入れを妨げないようになっている。しかしながら、トレイストッパを退避させるためには、作業者がトレイを介してトレイストッパを押圧する必要がある。このため、作業性をより高くするために、より小さい力でトレイストッパを移動させることが可能な構成が求められる。
【０００５】
本発明は上記のような事情に基づいて完成されたものであって、トレイの搬入作業の容易化を図ることを目的とする。
【課題を解決するための手段】
【０００６】
本発明の冷温蔵装置は、トレイを搬入可能な貯蔵室を有する断熱箱と、前記貯蔵室内に設けられ、前記貯蔵室内を冷蔵室と温蔵室とに仕切る仕切壁と、前記仕切壁を構成し、前記トレイが前記冷蔵室と前記温蔵室とに跨って配されるよう隙間を空ける形で上下に並ぶとともに、前記トレイの搬入方向に沿って延びる少なくとも２つの壁部と、前記少なくとも２つの壁部のいずれかに配されて前記隙間の一部を塞ぐとともに、前記搬入方向について前記トレイを位置決めするトレイストッパであって、前記トレイによる押圧に伴って前記隙間から退避可能なトレイストッパと、前記少なくとも２つの壁部のうち前記トレイストッパが配される壁部に設けられ、前記トレイストッパと対向状に配されて前記隙間から退避する前記トレイストッパの少なくとも一部が当接されることでその変位を規制する変位規制部と、前記トレイストッパと前記変位規制部との間に介在する形で配され、前記搬入方向に沿って延在する片持ち状をなし、前記トレイストッパを弾性的に支持する弾性支持部と、前記弾性支持部の自由端を前記トレイストッパ側に屈曲させて形成される屈曲部であって、少なくとも前記トレイストッパが前記変位規制部に当接した状態で前記トレイストッパから離間した位置に配される屈曲部と、を備える。
【０００７】
このような構成によれば、トレイの搬入に際しては、トレイが２つの壁部の間の隙間内に差し込まれると、隙間の一部を塞ぐ形で配されるトレイストッパによって搬入方向について位置決めされる。この状態では、冷蔵室と温蔵室とに跨って配されるトレイやトレイストッパによって隙間が閉塞されるので、冷蔵室と温蔵室との間で空気の流通が生じ難くなっている。トレイストッパにより位置決めされたトレイをさらに押し込むと、トレイにより押圧されたトレイストッパが退避することでトレイのさらなる移動が可能となる。トレイストッパが隙間から退避する際には、トレイストッパと変位規制部との間に介在する形で配されて片持ち状をなす弾性支持部が弾発力を蓄積しつつ撓み変形される。この弾性支持部の自由端には、トレイストッパ側に屈曲する屈曲部が形成されているので、この屈曲部にトレイストッパが係止可能とされ、それにより弾性支持部によるトレイストッパの支持状態が安定的に保持される。
【０００８】
そして、隙間から退避するトレイストッパは、対向状に配される変位規制部に少なくとも一部が当接されることで、それ以上に退避するよう変位するのが規制される。この状態では、トレイストッパは、片持ち状をなす弾性支持部の自由端に配された屈曲部から離間しており、弾性支持部のうち屈曲部よりも基端側の部分に当接されているので、屈曲部による制約を受けることなく、弾性支持部に沿って基端側へスライドするよう変位することが可能となる。これにより、トレイストッパの退避動作が円滑化され、もって搬入するトレイを押し込む作業を容易に行うことができる。
【０００９】
本発明の実施態様として、次の構成が好ましい。
（１）前記弾性支持部は、前記屈曲部に連なる部分を前記トレイストッパ側に屈曲して形成され、その屈曲角度が前記屈曲部の屈曲角度よりも小さい第２の屈曲部を有する。このようにすれば、変位規制部によりトレイストッパの変位が規制された状態では、トレイストッパは、弾性支持部のうち屈曲部に連なる第２の屈曲部に当接される。第２の屈曲部は、弾性支持部をトレイストッパ側に屈曲して形成され、その屈曲角度が屈曲部の屈曲角度よりも小さいので、トレイストッパが弾性支持部に沿って基端側へより円滑にスライドするよう変位し、もってトレイストッパの退避動作が一層円滑化される。
【００１０】
（２）前記トレイストッパは、前記弾性支持部側に向けて開口して前記屈曲部が差し込まれる開口部と、前記開口部の開口縁からなり前記弾性支持部に当接されて支持される被支持部と、前記開口部の開口縁からなり前記屈曲部を挟んで前記被支持部と対向状に配される対向状部と、を少なくとも有しており、前記屈曲部は、前記対向状部の側面に対して傾斜状をなしている。このようにすれば、トレイストッパのうち開口部の開口縁からなる被支持部は、弾性支持部に当接されることで支持されている。このとき、弾性支持部の屈曲部は、トレイストッパの開口部に差し込まれている。ここで、仮に屈曲部が対向状部の側面に対して平行をなしていると、トレイストッパが隙間から退避する動作や隙間に進出する動作を繰り返す内、屈曲部が対向状部の側面に面接触して引っ掛かったままとなるおそれがある。その点、屈曲部は、対向状部の側面に対して傾斜状をなしているから、トレイストッパが退避動作や進出動作を繰り返しても、屈曲部が対向状部の側面に線接触または点接触するので引っ掛かりが生じても外れ易くなっている。
【００１１】
（３）前記トレイストッパに設けられ、前記搬入方向について間隔を空けた位置に配される一対の被ガイド部と、前記少なくとも２つの壁部のうち前記トレイストッパが配される前記壁部に設けられ、前記搬入方向に対して傾斜状をなし、前記一対の被ガイド部のうちの一方の被ガイド部が摺接されることで前記隙間からの前記トレイストッパの退避動作をガイドするガイド部と、を備えており、前記変位規制部は、前記ガイド部に連なるとともに前記一対の被ガイド部のうちの他方の被ガイド部に当接される。このようにすれば、トレイストッパは、一対の被ガイド部のうちの一方の被ガイド部が、搬入方向に対して傾斜状をなすガイド部に摺接されることで、隙間からの退避動作がガイドされる。このとき、一対の被ガイド部のうちの他方の被ガイド部は、トレイストッパの退避動作の進行に伴って変位するものの、変位規制部に当接されることでそれ以上の変位が規制される。
【発明の効果】
【００１２】
本発明によれば、トレイの搬入作業の容易化を図ることができる。
【図面の簡単な説明】
【００１３】
【図１】本発明の実施形態１に係る温冷配膳車を示す斜視図
【図２】図１の温冷配膳車を示す正面図
【図３】貯蔵室内を示す正面図
【図４】仕切壁を示す側面図
【図５】単位仕切壁の内部構造を示す斜視図
【図６】単位仕切壁の内部構造を示す側面図
【図７】図６においてシャッター付近を示す拡大図
【図８】図６においてトレイストッパ付近を示す拡大図
【図９】トレイストッパの第２被ガイド部が第２変位規制部に当接した状態を示す図
【図１０】トレイストッパの第２被支持部が第２トレイストッパ側スプリングストッパに沿ってスライドした状態を示す図
【図１１】トレイストッパが開放位置に達した状態を示す図
【図１２】本発明の実施形態２に係るトレイストッパ付近を示す拡大図
【図１３】トレイストッパの第２被ガイド部が第２変位規制部に当接した状態を示す図
【図１４】トレイストッパの第２被支持部が第２トレイストッパ側スプリングストッパに沿ってスライドした状態を示す図
【図１５】トレイストッパが開放位置に達した状態を示す図
【図１６】本発明の実施形態３に係るトレイストッパ付近を示す拡大図
【図１７】トレイストッパの対向状部に第２屈曲部が線接触した状態を示す図
【発明を実施するための形態】
【００１４】
＜実施形態１＞
本発明の実施形態１を図１から図１１によって説明する。本実施形態では、冷温蔵装置の一例として温冷配膳車１０を示す。なお、各図面の一部にはＸ軸、Ｙ軸及びＺ軸を示しており、各軸方向が各図面で示した方向となるように描かれている。このうち、Ｚ軸方向は、鉛直方向とほぼ一致し、Ｘ軸方向及びＹ軸方向は、水平方向とほぼ一致している。また、特に断りがない限りは、上下の記載については鉛直方向を基準とする。
【００１５】
温冷配膳車１０は、図１及び図２に示すように、貯蔵室１６を有する断熱箱１１と、断熱箱１１の底面に取り付けられるキャスタ１２と、断熱箱１１の上方に配される機械室１３と、を備えている。断熱箱１１は、発泡ウレタン等の断熱材を充填した壁部によって構成され、全体としては、Ｙ軸方向についての両面が開放された直方体形状をなしている。
【００１６】
断熱箱１１は、図２に示すように、Ｚ軸方向に沿って延在する柱状の縦フレーム１４を有している。縦フレーム１４は、断熱箱１１のうち、Ｙ軸方向についての両端位置であってＸ軸方向についての中央位置に一対が配されている。一対の縦フレーム１４の間には、Ｙ軸方向及びＺ軸方向に沿って延在する中間壁１５が設けられている（図３を参照）。断熱箱１１の内部空間は、中間壁１５によってＸ軸方向について左右に仕切られることで、トレイ２５を収容可能な２つの貯蔵室１６として構成されている。なお、図２では、同図左側の貯蔵室１６のみを図示している。各貯蔵室１６内には、中間壁１５の主壁面（Ｙ軸方向及びＺ軸方向）に沿って延在する仕切壁３０（詳しくは後述）が設けられている。仕切壁３０は、１つの貯蔵室１６を冷蔵室１７と温蔵室１８とに仕切るものである。
【００１７】
本実施形態では、２つの貯蔵室１６は、図２に示すように、中間壁１５を中心として左右対称となるように配されている。具体的には、図２に示す左側の貯蔵室１６では、左側に温蔵室１８が配され、右側に冷蔵室１７が配されるのに対し、図２で図示しない右側の貯蔵室１６では、左側に冷蔵室１７が配され、右側に温蔵室１８が配される。つまり、２つの貯蔵室１６を構成する２つの冷蔵室１７は、断熱箱１１において中間壁１５を挟んでＸ軸方向について隣り合う配置とされるのに対し、２つの温蔵室１８は、断熱箱１１において２つの冷蔵室１７を挟んでＸ軸方向について両端に配置されている。断熱箱１１のうち、各貯蔵室１６におけるＹ軸方向についての両端の各開口部（各搬入出口）には、観音開き式の扉１９がそれぞれ開閉可能な形で設けられている。これにより、各貯蔵室１６には、Ｙ軸方向について両側からトレイ２５の搬入出を行うことが可能とされる。具体的には、扉１９は、各貯蔵室１６を構成する２つずつの各冷蔵室１７及び各温蔵室１８の各開口部にそれぞれ設けられている。本実施形態では、各貯蔵室１６は、図４に示すように、Ｙ軸方向に沿って２枚のトレイ２５が並んで収容される広さを有している。Ｙ軸方向に沿って並ぶ２枚のトレイ２５は、貯蔵室１６におけるＹ軸方向についての両端の各開口部を通して搬入出可能とされるが、Ｙ軸方向について片端側の開口部を通して搬入出可能ともされる。なお、トレイ２５の搬入出方向（搬入方向）は、Ｙ軸方向と一致している。また、２つの貯蔵室１６の並び方向、及び冷蔵室１７と温蔵室１８との並び方向は、共にＸ軸方向と一致している。
【００１８】
２つの冷蔵室１７間を仕切る形の配置となる中間壁１５は、冷気流通用のダクトの機能を有している。具体的には、中間壁１５は、例えば、一対の板状部材によって構成されることでその内部を空気（冷気）が流通可能となっている。機械室１３内において、中間壁１５及び各冷蔵室１７の上方に位置する箇所には、図２に示すように、冷凍装置１３Ｂ（図２の破線）と、冷凍装置１３Ｂによって生成された冷気を送風する冷却用ファン１３Ｃ（図２の破線）が設置されている。なお、冷凍装置１３Ｂは、圧縮機、凝縮器、冷却器等から構成されている。各冷蔵室１７の冷却に際しては、冷凍装置１３Ｂ及び冷却用ファン１３Ｃを駆動することで、冷却器近傍で生成された冷気が中間壁１５内（ダクト内）に吹き込まれ、中間壁１５に形成された通気口を通してＸ軸方向について左右の各冷蔵室１７に吹き出される（図３の矢線Ｗ１参照）。冷蔵室１７に送られた冷気は、冷蔵室１７内を通過した後、冷蔵室１７の天井に形成された開口から冷却器側に戻る。これにより、冷蔵室１７に冷気が循環供給される。なお、冷凍装置１３Ｂの一部（例えば冷却器）や冷却用ファン１３Ｃが、例えば中間壁１５の内部に設けられていてもよい。
【００１９】
一方、断熱箱１１においてＸ軸方向について両端位置には、図２に示すように、中間壁１５の主壁面（Ｙ軸方向及びＺ軸方向）に沿って延在する形で一対の加熱パネル２０が設けられている。一対の加熱パネル２０は、一対の貯蔵室１６における各仕切壁３０との間で各温蔵室１８を構成している。加熱パネル２０の外面側にはダクトが設けられ、このダクトに沿う形でコードヒータ（図示せず）が配線されている。コードヒータは、機械室１３に配置された温蔵ユニット１３Ａ（図２の破線）から引き出されており、温蔵ユニット１３Ａには、加温用ファンが設けられている。各温蔵室１８の加熱に際しては、温蔵ユニット１３Ａを駆動するとコードヒータから発せられたジュール熱でダクト内が温められる。また、温蔵ユニット１３Ａと同時に加温用ファンを駆動することで、加熱パネル２０に形成された通気口から暖気が温蔵室１８内に吹き出される（図３の矢線Ｗ２参照）。このように加熱パネル２０からの輻射熱、及び通気口から吹き出される暖気により温蔵室１８内が加熱される構成となっている。
【００２０】
次に、冷蔵室１７と温蔵室１８との間を仕切る仕切壁３０の構成について詳しく説明する。なお、以下の説明では、図２に示す左側の貯蔵室１６に設けられた仕切壁３０を例示して説明する。仕切壁３０は、図２に示すように、鉛直方向（Ｚ軸方向）に沿って複数の単位仕切壁（壁部）３１を多段に積み重ねた構成とされる。なお、仕切壁３０の最下段は、断熱箱１１の底板上に突設された底側壁（壁部）３７によって構成されており、この底側壁３７は、最も下に位置する単位仕切壁３１に対して下側に隣り合う配置とされる。本実施形態では、特許請求の範囲に記載の「２つの壁部」は、上下に隣り合う２つの単位仕切壁３１または底側壁３７とその上側に隣り合う単位仕切壁３１とによって構成される。単位仕切壁３１は、図４及び図５に示すように、その主壁面が中間壁１５及び加熱パネル２０の各主壁面に沿って延在するとともに、長手方向をＹ軸方向と一致させた細長い略箱型をなしている。単位仕切壁３１のうち、冷蔵室１７及び温蔵室１８に臨む一対の主壁面には、図３に示すように、貯蔵室１６に収容されたトレイ２５を下側から支持する連結部材（トレイ支持部材）３２がそれぞれ取り付けられている。連結部材３２は、水平方向（Ｘ軸方向及びＹ軸方向）に沿って延在して冷蔵室１７または温蔵室１８を横切る形で配されており、その一端側が単位仕切壁３１に、他端側が中間壁１５または加熱パネル２０に設置された支持ピン３４に、それぞれ取り付けられている。なお、連結部材３２は、例えばビスやボルトなどによって他部材（単位仕切壁３１又は支持ピン３４）に取り付けられるが、取付構造はこれに限定されない。
【００２１】
上下に隣り合う単位仕切壁３１の間や底側壁３７とその上側の単位仕切壁３１との間には、図３に示すように、それぞれ隙間Ｓ１が形成されている。隙間Ｓ１は、単位仕切壁３１及び底側壁３７の長手方向（Ｙ軸方向）に沿って延びるものとされ、この隙間Ｓ１を通じてトレイ２５が冷蔵室１７と温蔵室１８との双方に跨って配されている。仕切壁３０を構成する複数の単位仕切壁３１及び底側壁３７のうち、隙間Ｓ１に臨む部分には、トレイ２５の搬入出に伴って隙間Ｓ１に対して進退可能な複数の可動部材が設けられている。複数の可動部材は、トレイ２５の搬入出を行わない状態では常に隙間Ｓ１を閉塞しており、それにより隙間Ｓ１を通じて冷蔵室１７と温蔵室１８との間で空気（冷気または暖気）が流通する事態が防止されている。複数の可動部材には、単位仕切壁３１及び底側壁３７の上面側に設けられるトレイストッパ５０及びシャッター６０と、単位仕切壁３１の下面側に設けられる当接部材４１と、が含まれている。トレイ２５は、隙間Ｓ１においては、下側から単位仕切壁３１の上面によって支持されるのに対し、上側から当接部材４１が当接されている。なお、最上段の単位仕切壁３１には、トレイストッパ５０及びシャッター６０が設けられない。
【００２２】
続いて、複数の可動部材を構成する当接部材４１、トレイストッパ５０及びシャッター６０について順次に説明する。当接部材４１は、図５に示すように、その大部分が単位仕切壁３１の内部に収容されており、単位仕切壁３１の下面に形成された開口を通じて、当接部材４１の下端部が下方に突出する構成となっている。当接部材４１は、Ｙ軸方向に沿って延在するとともに断面形状がトレイ２５の外形に倣うものとされていて、単位仕切壁３１に対して上下動可能に取り付けられている。当接部材４１は、図４に示すように、Ｙ軸方向についてトレイストッパ５０を挟む形で２つが並んで配されており、それぞれがＹ軸方向に沿って並ぶ２つのトレイ２５に対応付けられている。当接部材４１は、図５及び図６に示すように、単位仕切壁３１に内蔵された板バネ４２によって下方に付勢されている。これにより、貯蔵室１６に収容されたトレイ２５の上面には、板バネ４２によって付勢された当接部材４１が弾性的に当接し、もって隙間Ｓ１を閉塞可能とされる。なお、板バネ４２を省略し、当接部材４１が自重によって下方に付勢される構成としてもよい。
【００２３】
トレイストッパ５０は、図５に示すように、単位仕切壁３１の上面側においてＹ軸方向について中央位置付近に設けられている。トレイストッパ５０（後述するストッパ本体部５３）は、その一部が単位仕切壁３１から上方に突出し、隙間Ｓ１内に入り込む形で配されており、その突出部分の外形形状がトレイ２５の外周端部に倣う段差状をなしている。トレイストッパ５０は、図４に示すように、Ｙ軸方向に沿って並ぶ２つのトレイ２５の間に介在する形で配されることで各トレイ２５をＹ軸方向について位置決めを行う部材（位置決め部材）としての機能を有すると共に、隙間Ｓ１の一部を閉塞する部材（シャッター、閉塞部材）としての機能を有している。なお、トレイストッパ５０の構成や作用などに関しては後に詳しく説明する。
【００２４】
シャッター６０は、図４に示すように、単位仕切壁３１の上面側においてＹ軸方向について両端位置付近に２つ設けられている。２つのシャッター６０は、Ｙ軸方向について２つのトレイ２５に対してトレイストッパ５０側とは反対側、つまり外側（搬入出口側）に配されており、扉１９を空けた状態で各トレイ２５が貯蔵室１６外に飛び出すのを防止するとともに、隙間Ｓ１を閉塞する。シャッター６０は、単位仕切壁３１（２つの壁部のうち、下側に配される壁部）に対して回動可能に取り付けられており、トレイ２５を隙間Ｓ１に対して出し入れする際には、トレイ２５によって押し下げられるようになっている。
【００２５】
次に、単位仕切壁３１に対するシャッター６０の取付構造について具体的に説明する。まず、シャッター６０の取付対象である単位仕切壁３１は、図５及び図６に示すように、全体として中空状をなしており、その側面、上面、及び下面を主に構成する本体部３１Ａと、Ｙ軸方向（長手方向）の各端面（前面又は後面）をそれぞれ構成するカバー部３１Ｂと、を備えている。なお、本体部３１Ａは、一対の半割体を合体させることで構成されており、図５及び図６では、一方の半割体のみを図示してある。
【００２６】
シャッター６０は、図７に示すように、本体部３１Ａの内面に設けられた軸部４３に対して回動可能に取り付けられている。シャッター６０は、回動軸となる軸部４３からカバー部３１Ｂ側（図７の左側）に延びる延設部６１と、延設部６１の先端から下方に突出する第１突出部６２と、延設部６１の先端から上方に突出することで、隙間Ｓ１の一部を塞ぐ第２突出部６３と、を備えている。これにより、シャッター６０は、第２突出部６３が隙間Ｓ１の一部を塞ぐ閉塞位置（図７に示す位置）と、第２突出部６３が単位仕切壁３１の内部に収容されることで隙間Ｓ１の一部を開放する開放位置との間で変位可能となっている。シャッター６０の第２突出部６３は、貯蔵室１６の外側（図７の左側）に向かうにつれて下降傾斜する第１傾斜面６３Ａと、貯蔵室１６の内側（図７の右側）に向かうにつれて下降傾斜する第２傾斜面６３Ｂと、を有している。作業者がトレイ２５の搬入に際してトレイ２５を隙間Ｓ１に差し入れる際には、トレイ２５の端面２５Ａが閉塞位置とされたシャッター６０の第１傾斜面６３Ａに当接する。この状態から、さらにトレイ２５を押し込むと、トレイ２５が第１傾斜面６３Ａを押圧することで、シャッター６０が軸部４３を中心として、反時計回りに回動して開放位置に至り、もってトレイ２５を隙間Ｓ１に差し入れることが可能となる。なお、カバー部３１Ｂには、上方に開口する切欠部３１Ｄ（図３を参照）が形成されており、それにより第２突出部６３との干渉を回避している。また、第１突出部６２は、正面視において、切欠部３１Ｄと重なる形で配されている（図３及び図７を参照）。これにより、正面視において、単位仕切壁３１の内部が目視される事態を抑制することができる。また、トレイ２５の搬出に際してトレイ２５を隙間Ｓ１から取り出す際には、トレイ２５の端面によって第２突出部６３の第２傾斜面６３Ｂを押圧することで、シャッター６０を搬入時とは逆の反時計回りに回動させることができる。
【００２７】
シャッター６０は、図７に示すように、単位仕切壁３１内に取り付けられたシャッター側スプリングストッパ４５によって下側から弾性的に支持されている。シャッター側スプリングストッパ４５は、Ｙ軸方向に沿って延在する長手状をなしており、シャッター６０側とは反対側の部分が、本体部３１Ａ内に設けられた複数の円柱状をなす取付部３５に固定されるのに対し、シャッター６０側の部分が延設部６１に対して下側から当接されている。シャッター側スプリングストッパ４５は、取付部３５により固定された部分を支点として撓み変形可能とされている。これにより、シャッター６０は、常に閉塞位置となるよう付勢されており、例えば開放位置とされたシャッター６０に対するトレイ２５の押圧状態が解除されると（トレイ２５が第２突出部６３上を通過して図７の二点鎖線に示される位置に達すると）、シャッター側スプリングストッパ４５に蓄積された弾発力（ばね力）によってシャッター６０は閉塞位置へと自動的に戻されるようになっている。
【００２８】
次に、トレイストッパ５０に関して詳しく説明する。このトレイストッパ５０は、上記したシャッター６０と同様に、トレイ２５の搬入出に伴って隙間Ｓ１に対してＺ軸方向に沿って上下に進退可能な形で単位仕切壁３１に取り付けられている。トレイストッパ５０は、図８に示すように、単位仕切壁３１の上壁部３６（隙間Ｓ１を構成する第１壁部）に形成された貫通孔３６Ａを通じて上方に突出するストッパ本体部５３と、ストッパ本体部５３のうち単位仕切壁３１内に配される部分に設けられる一対の被ガイド部５１，５２と、を有する。ストッパ本体部５３は、Ｙ軸方向を長手方向とした細長い中空のブロック状をなしており、下向き（後述するトレイストッパ側スプリングストッパ４６，４７側）に開口する一対の開口部５３ＯＰを有している。詳しくは、ストッパ本体部５３は、Ｘ軸方向について対向状をなす一対の平板状部５３ａ間を繋ぎ部５３ｂによって繋いだ構成とされ、繋ぎ部５３ｂが平板状部５３ａのうち下側部分を除いた外周端部同士を繋ぐ第１繋ぎ部５３ｂ１と、平板状部５３ａのうちＹ軸方向についての中央部同士を繋ぐ第２繋ぎ部５３ｂ２と、から構成される。第２繋ぎ部５３ｂ２は、一対の開口部５３ＯＰ間を仕切っている。また、一対の開口部５３ＯＰの開口縁は、一対の平板状部５３ａ、第１繋ぎ部５３ｂ１及び第２繋ぎ部５３ｂ２の各下端部により構成される。ストッパ本体部５３のうち、上壁部３６から上方に突出する部分の下側部分には、下方に向かうにつれてトレイ２５側に近づく形でＹ軸方向に対して傾斜する第１傾斜面５３Ａが設けられており、この第１傾斜面５３Ａがトレイ２５によりＹ軸方向に沿って押圧されると、トレイストッパ５０には隙間Ｓ１から下方へ退避させるような分力が作用するようになっている。ストッパ本体部５３は、Ｘ軸方向についての外形寸法（厚さ寸法）が貫通孔３６Ａの開口幅よりも少し小さい程度とされる。また、ストッパ本体部５３のうち単位仕切壁３１内に配される部分は、先細り状をなしており、その外面が上記した第１傾斜面５３Ａとは逆の勾配、つまり下側に向かうにつれてトレイ２５から遠ざかる形でＹ軸方向に対して傾斜する第２傾斜面５３Ｂとされる。
【００２９】
一対の被ガイド部５１，５２は、図８に示すように、ストッパ本体部５３のうち、常に単位仕切壁３１内に配される部分においてＹ軸方向について間隔を空けた位置（具体的には両端部付近）に配されている。一対の被ガイド部５１，５２は、ストッパ本体部５３を構成する各平板状部５３ａからＸ軸方向に沿って外向きにそれぞれ突出する略円柱状をなしており、各平板状部５３ａに対応付けて合計２組が設置されている。従って、一対の被ガイド部５１，５２は、単位仕切壁３１の上壁部３６における貫通孔３６Ａの孔縁に下側から係合可能とされており、それによりトレイストッパ５０を上向きに抜け止め可能とされる。そして、単位仕切壁３１の内部には、一対のガイド部５６，５７が設けられており、これらのガイド部５６，５７にトレイストッパ５０の被ガイド部５１，５２が摺接されることで、トレイストッパ５０の退避動作をガイドすることが可能とされている。被ガイド部５１，５２は、円周状の外周面がガイド部５６，５７に対して当接（摺接）可能とされる。なお、以下では被ガイド部５１，５２及びガイド部５６，５７を区別する場合には、図８に示す左側のものを第１被ガイド部５１及び第１ガイド部５６とし、同図右側のものを第２被ガイド部５２及び第２ガイド部５７とする。
【００３０】
一対のガイド部５６，５７は、図５及び図６に示すように、単位仕切壁３１内において貫通孔３６ＡをＸ軸方向について両側から挟み込む位置に２組設けられている。一対のガイド部５６，５７は、Ｘ軸方向について各被ガイド部５１，５２とは重畳するものの、ストッパ本体部５３（後述するトレイストッパ側スプリングストッパ４６，４７）とは非重畳となる配置とされている。一対のガイド部５６，５７は、図８に示すように、本体部３１Ａの内面に形成されており、それぞれ上壁部３６から下側へ向けてＹ軸方向に対して傾斜状をなしつつ直線状に延在している。詳しくは、一対のガイド部５６，５７は、Ｙ軸方向について一定の間隔を空けて対向状に配されるとともに、その対向間隔Ｙ１が、Ｚ軸方向について上壁部３６に近づく（後述する変位規制部５８，５９から遠ざかる）ほど狭くなり、Ｚ軸方向について上壁部３６から遠ざかる（後述する変位規制部５８，５９に近づく）ほど広くなるよう傾斜している。より詳しくは、第１ガイド部５６は、Ｙ軸方向に沿って図８に示す右側へ向けて押し込まれるトレイ２５の搬入方向に向かって下り勾配となる傾斜状をなしているのに対し、第２ガイド部５７は、Ｙ軸方向に沿って図８に示す左側へ向けて押し込まれるトレイ２５の搬入方向に向かって下り勾配となる傾斜状をなしている。なお、一対のガイド部５６，５７は、対称形状をなしており、Ｙ軸方向に対する傾斜角度が互いに等しいものとされる。
【００３１】
一対のガイド部５６，５７における下端部には、図５及び図６に示すように、被ガイド部５１，５２に当接することでトレイストッパ５０の退避動作に伴う被ガイド部５１，５２のＺ軸方向（進退方向）についての変位を規制可能な一対の変位規制部５８，５９が連ねられている。一対の変位規制部５８，５９は、図８に示すように、上壁部３６に対してＺ軸方向について所定の間隔を空けて対向状に配されており、Ｙ軸方向に沿って延在する細長い略板状をなしている。従って、一対の変位規制部５８，５９は、上壁部３６との間に介在する一対の被ガイド部５１，５２に対してもＺ軸方向について所定の間隔を空けて対向状に配されており、トレイストッパ５０の退避動作の進行に伴って下向きに変位される被ガイド部５１，５２に対して当接することでそれ以上の被ガイド部５１，５２の変位を規制することができる。一対の変位規制部５８，５９は、Ｘ軸方向について一対のガイド部５６，５７と重畳する形で２組が設けられており、貫通孔３６ＡをＸ軸方向について両側から挟み込む配置とされる。
【００３２】
上記のような構成のトレイストッパ５０は、図６及び図８に示すように、単位仕切壁３１内に取り付けられた一対のトレイストッパ側スプリングストッパ（弾性支持部）４６，４７によって下側から弾性的に支持されており、それによりストッパ本体部５３が単位仕切壁３１の上壁部３６から突出して隙間Ｓ１の一部を閉塞する閉塞位置（図８を参照）に弾性的に保持されている。一対のトレイストッパ側スプリングストッパ４６，４７は、Ｙ軸方向についてトレイストッパ５０を挟み込む形で配されている。各トレイストッパ側スプリングストッパ４６，４７は、Ｙ軸方向（搬入方向）に沿って延在する長手状をなしており、トレイストッパ５０側とは反対側（各シャッター６０側）の部分が、本体部３１Ａ内に設けられた複数の円柱状をなす取付部３５にそれぞれ固定されるのに対し、トレイストッパ５０側の部分がストッパ本体部５３に対して下側から当接されている。つまり、各トレイストッパ側スプリングストッパ４６，４７は、各取付部３５により固定された部分が基端となり、トレイストッパ５０側の端部が自由端となる片持ち状をなしており、自由端側の部分が基端側の部分を支点としてＺ軸方向に沿って弾性的に揺動変位可能とされている。
【００３３】
各トレイストッパ側スプリングストッパ４６，４７における自由端には、図８に示すように、上向き（トレイストッパ５０側）に屈曲された屈曲部７０，７１がそれぞれ形成されている。屈曲部７０，７１は、トレイストッパ側スプリングストッパ４６，４７においてＹ軸方向に沿って延在する本体部分に対してほぼ直角に上向きに屈曲されていて、トレイストッパ５０のストッパ本体部５３における開口部５３ＯＰ内に差し込まれている。従って、屈曲部７０，７１は、トレイストッパ５０を構成するストッパ本体部５３に係止可能とされ、それによりトレイストッパ側スプリングストッパ４６，４７によるトレイストッパ５０の支持状態が安定的に保持されるようになっている。そして、この屈曲部７０，７１は、図９に示すように、トレイストッパ５０の被ガイド部５１，５２が変位規制部５８，５９に当接した状態では、トレイストッパ５０から離間した位置に配されている。なお、以下ではトレイストッパ側スプリングストッパ４６，４７及び屈曲部７０，７１を区別する場合には、図８に示す左側のものを第１トレイストッパ側スプリングストッパ４６及び第１屈曲部７０とし、同図右側のものを第２トレイストッパ側スプリングストッパ４７及び第２屈曲部７１とする。
【００３４】
各トレイストッパ側スプリングストッパ４６，４７は、図８に示すように、Ｘ軸方向についてストッパ本体部５３における繋ぎ部５３ｂと重畳し、２つの平板状部５３ａとは非重畳となる配置とされており、繋ぎ部５３ｂを構成する第１繋ぎ部５３ｂ１に対して当接されている。従って、第１繋ぎ部５３ｂ１のうち、各トレイストッパ側スプリングストッパ４６，４７が当接される下端部は、それぞれ各トレイストッパ側スプリングストッパ４６，４７によって支持される一対の被支持部７２，７３とされる。一対の被支持部７２，７３における内側面（次述する対向状部７４との対向面）は、Ｚ軸方向に沿ってほぼ真っ直ぐな面とされる。ストッパ本体部５３を構成する第２繋ぎ部５３ｂ２のうち、上記した各被支持部７２，７３と対向状をなす下端部（開口縁）は、対向状部７４とされている。対向状部７４は、Ｙ軸方向について各被支持部７２，７３との間で各屈曲部７０，７１を挟み込む配置とされる。言い換えると、屈曲部７０，７１は、開口部５３ＯＰ内において被支持部７２，７３と対向状部７４との間に介在する配置とされる。なお、以下では被支持部７２，７３を区別する場合には、図８に示す左側のものを第１被支持部７２とし、同図右側のものを第２被支持部７３とする。
【００３５】
トレイストッパ５０は、図８に示すように、ストッパ本体部５３が単位仕切壁３１から上方に突出して隙間Ｓ１を閉塞する閉塞位置からトレイ２５によって押圧されると、各トレイストッパ側スプリングストッパ４６，４７の弾発力に抗しつつ下方へ変位することが可能とされる。トレイストッパ５０は、トレイ２５の搬入出に伴って上記閉塞位置と、ストッパ本体部５３が単位仕切壁３１の内部に収容されて隙間Ｓ１の一部を開放する開放位置（図１０を参照）と、の間を主に上下に変位するものとされる。トレイストッパ５０は、開放位置（退避位置）からトレイ２５の押圧状態が解除されると、各トレイストッパ側スプリングストッパ４６，４７に蓄積された弾発力によって閉塞位置へと自動的に戻されるようになっている。なお、ストッパ本体部５３に形成された第２傾斜面５３Ｂにより、トレイストッパ５０が閉塞位置から下方へ変位する動作が円滑化されている。
【００３６】
本実施形態に係る構成は以上であり、続いてその作用について説明する。この温冷配膳車１０は、Ｙ軸方向に沿って２枚のトレイ２５を並べて収容可能な貯蔵室１６を有する断熱箱１１において、Ｙ軸方向について両側に設けられた一対の開口部のうち、片方の開口部を通して２枚のトレイ２５を搬入出可能な、いわゆるパススルー方式とされている。以下では、パススルー方式を利用したトレイ２５の搬入に伴うトレイストッパ５０の作用について詳しく説明する。
【００３７】
例えば、トレイ２５を断熱箱１１内に図８に示す左側から右側へ向けて搬入すると、図８に示すように、トレイ２５のうち隙間Ｓ１内に差し込まれた部分が、隙間Ｓ１の一部を塞ぐ形で配されるトレイストッパ５０に当接されることで、Ｙ軸方向について一旦位置決めされる。この状態では、冷蔵室１７と温蔵室１８とに跨って配されるトレイ２５やトレイストッパ５０などによって隙間Ｓ１が閉塞されるので、冷蔵室１７と温蔵室１８との間で空気の流通が生じ難くなっている。トレイストッパ５０により位置決めされたトレイ２５をさらに図８に示す右側（搬入方向の奥側）へ向けて押し込むと、トレイ２５により押圧されたトレイストッパ５０が隙間Ｓ１から退避することでトレイ２５のさらなる搬入方向の奥側への移動（パススルー動作）が可能となる。
【００３８】
詳しくは、トレイ２５によってトレイストッパ５０の第１傾斜面５３ＡがＹ軸方向に沿って押圧されると、トレイストッパ５０には、少なくとも図８に示す斜め右下向きの分力が作用することになる。従って、トレイストッパ５０は、トレイ２５の押圧に伴って上記分力によって図８に示す斜め右下向きに移動し、隙間Ｓ１から退避することになる。このとき、一対の被ガイド部５１，５２のうちの図８に示す左側（搬入方向の手前側）の第１被ガイド部５１（一方の被ガイド部）が、Ｙ軸方向に対して傾斜状をなす第１ガイド部５６に当接されると、トレイストッパ５０は、第１被ガイド部５１を回動中心として時計回りに回動する。これに伴い、一対の被ガイド部５１，５２のうちの図８に示す右側（搬入方向の奥側）の第２被ガイド部５２（他方の被ガイド部）及び第２被支持部７３は、同図斜め左下へ向けて回動変位される。トレイストッパ５０が上記のように回動するのに伴い、第２トレイストッパ側スプリングストッパ４７は、弾発力を蓄積しつつ撓み変形され、基端側を支点として自由端側の第２屈曲部７１が図８に示す斜め右下へ向けて揺動変位される。
【００３９】
トレイストッパ５０の退避動作（回動動作）が一定程度進行すると、図９に示すように、第２被ガイド部５２が第２変位規制部５９に当接されることで、第２被ガイド部５２がそれ以上に下方へ変位するのが規制される。このとき、第２被支持部７３は、撓み変形した第２トレイストッパ側スプリングストッパ４７の第２屈曲部７１から離間しており、第２トレイストッパ側スプリングストッパ４７のうち第２屈曲部７１よりも基端側の部分に当接されている。従って、第２被支持部７３は、第２屈曲部７１に引っ掛かることなく、図１０に示すように、第２トレイストッパ側スプリングストッパ４７に沿って当接位置から基端側へスライドするよう変位するものとされる。これに伴い、トレイストッパ５０は、第２トレイストッパ側スプリングストッパ４７上を基端側へスライドする第２被支持部７３を回動中心として反時計回りに回動するので、それに従って第１被ガイド部５１が第１ガイド部５６に摺接されるとともに第１被ガイド部５１及び第１被支持部７２が図１０に示す斜め右下へ向けて変位される。この第１被支持部７２の変位に伴い、第１トレイストッパ側スプリングストッパ４６は、弾発力を蓄積しつつ撓み変形され、基端側を支点として自由端側の第１屈曲部７０が図１０に示す斜め左下へ向けて揺動変位される。そして、トレイストッパ５０が隙間Ｓ１から完全に退避した開放位置に達すると、図１１に示すように、トレイ２５をトレイストッパ５０よりも図１１に示す右側（搬入方向の奥側）へ向けて移動させることができる。以上のように、トレイストッパ５０は、隙間Ｓ１から退避する際に、回動しつつスライドもするので、隙間Ｓ１から円滑に退避し、もって搬入するトレイ２５を押し込む作業を容易に行うことができる。
【００４０】
なお、トレイ２５を断熱箱１１内に図８に示す右側から左側へ向けて搬入する場合は、既述した説明において左右を反転した動作となる。この動作を一部簡略化して説明すると、トレイストッパ５０がトレイ２５からの押圧力を受け、一対の被ガイド部５１，５２のうちの図８に示す右側（搬入方向の手前側）の第２被ガイド部５２（一方の被ガイド部）が、Ｙ軸方向に対して傾斜状をなす第２ガイド部５７に当接されると、トレイストッパ５０は、第２被ガイド部５２を回動中心として反時計回りに回動する。これに伴い、一対の被ガイド部５１，５２のうちの図８に示す左側（搬入方向の奥側）の第１被ガイド部５１（他方の被ガイド部）及び第１被支持部７２は、同図斜め右下へ向けて回動変位される。トレイストッパ５０が上記のように回動するのに伴い、第１トレイストッパ側スプリングストッパ４６は、弾発力を蓄積しつつ撓み変形され、基端側を支点として自由端側の第１屈曲部７０が図８に示す斜め左下へ向けて揺動変位される。その後、第１被ガイド部５１が第１変位規制部５８に当接されることで、第１被ガイド部５１がそれ以上に下方へ変位するのが規制される。このとき、第１被支持部７２は、撓み変形した第１トレイストッパ側スプリングストッパ４６の第１屈曲部７０から離間しており、第１トレイストッパ側スプリングストッパ４６のうち第１屈曲部７０よりも基端側の部分に当接されている。従って、第１被支持部７２は、第１屈曲部７０に引っ掛かることなく、第１トレイストッパ側スプリングストッパ４６に沿って当接位置から基端側へスライドするよう変位するものとされる（図１０を参照）。これに伴い、トレイストッパ５０は、第１トレイストッパ側スプリングストッパ４６上を基端側へスライドする第１被支持部７２を回動中心として時計回りに回動するので、それに従って第２被ガイド部５２が第２ガイド部５７に摺接されるとともに第２被ガイド部５２及び第２被支持部７３が斜め右下へ向けて変位される。この第２被支持部７３の変位に伴い、第２トレイストッパ側スプリングストッパ４７は、弾発力を蓄積しつつ撓み変形され、基端側を支点として自由端側の第２屈曲部７１が斜め左下へ向けて揺動変位される。そして、トレイストッパ５０が隙間Ｓ１から完全に退避した開放位置に達すると、図１１に示すように、トレイ２５をトレイストッパ５０よりも図１１に示す左側（搬入方向の奥側）へ向けて移動させることができる。
【００４１】
以上説明したように本実施形態の温冷配膳車（冷温蔵装置）１０は、トレイ２５を搬入可能な貯蔵室１６を有する断熱箱１１と、貯蔵室１６内に設けられ、貯蔵室１６内を冷蔵室１７と温蔵室１８とに仕切る仕切壁３０と、仕切壁３０を構成し、トレイ２５が冷蔵室１７と温蔵室１８とに跨って配されるよう隙間Ｓ１を空ける形で上下に並ぶとともに、トレイ２５の搬入方向に沿って延びる少なくとも２つの壁部である単位仕切壁３１及び底側壁３７と、少なくとも２つの壁部である単位仕切壁３１及び底側壁３７のいずれかに配されて隙間Ｓ１の一部を塞ぐとともに、搬入方向についてトレイ２５を位置決めするトレイストッパ５０であって、トレイ２５による押圧に伴って隙間Ｓ１から退避可能なトレイストッパ５０と、少なくとも２つの壁部である単位仕切壁３１及び底側壁３７のうちトレイストッパ５０が配される単位仕切壁３１または底側壁３７に設けられ、トレイストッパ５０と対向状に配されて隙間Ｓ１から退避するトレイストッパ５０の少なくとも一部が当接されることでその変位を規制する変位規制部５８，５９と、トレイストッパ５０と変位規制部５８，５９との間に介在する形で配され、搬入方向に沿って延在する片持ち状をなし、トレイストッパ５０を弾性的に支持するトレイストッパ側スプリングストッパ（弾性支持部）４６，４７と、トレイストッパ側スプリングストッパ４６，４７の自由端をトレイストッパ５０側に屈曲させて形成される屈曲部７０，７１であって、少なくともトレイストッパ５０が変位規制部５８，５９に当接した状態でトレイストッパ５０から離間した位置に配される屈曲部７０，７１と、を備える。
【００４２】
このような構成によれば、トレイ２５の搬入に際しては、トレイ２５が２つの壁部である単位仕切壁３１及び底側壁３７のうちの隣り合う単位仕切壁３１間の隙間Ｓ１や単位仕切壁３１と底側壁３７との間の隙間Ｓ１内に差し込まれると、隙間Ｓ１の一部を塞ぐ形で配されるトレイストッパ５０によって搬入方向について位置決めされる。この状態では、冷蔵室１７と温蔵室１８とに跨って配されるトレイ２５やトレイストッパ５０によって隙間Ｓ１が閉塞されるので、冷蔵室１７と温蔵室１８との間で空気の流通が生じ難くなっている。トレイストッパ５０により位置決めされたトレイ２５をさらに押し込むと、トレイ２５により押圧されたトレイストッパ５０が退避することでトレイ２５のさらなる移動が可能となる。トレイストッパ５０が隙間Ｓ１から退避する際には、トレイストッパ５０と変位規制部５９（５８）との間に介在する形で配されて片持ち状をなすトレイストッパ側スプリングストッパ４７（４６）が弾発力を蓄積しつつ撓み変形される。このトレイストッパ側スプリングストッパ４６，４７の自由端には、トレイストッパ５０側に屈曲する屈曲部７０，７１が形成されているので、この屈曲部７０，７１にトレイストッパ５０が係止可能とされ、それによりトレイストッパ側スプリングストッパ４６，４７によるトレイストッパ５０の支持状態が安定的に保持される。
【００４３】
そして、隙間Ｓ１から退避するトレイストッパ５０は、対向状に配される変位規制部５９（５８）に少なくとも一部が当接されることで、それ以上に退避するよう変位するのが規制される。この状態では、トレイストッパ５０は、片持ち状をなすトレイストッパ側スプリングストッパ４７（４６）の自由端に配された屈曲部７１（７０）から離間しており、トレイストッパ側スプリングストッパ４７（４６）のうち屈曲部７１（７０）よりも基端側の部分に当接されているので、屈曲部７１（７０）による制約を受けることなく、トレイストッパ側スプリングストッパ４７（４６）に沿って基端側へスライドするよう変位することが可能となる。これにより、トレイストッパ５０の退避動作が円滑化され、もって搬入するトレイ２５を押し込む作業を容易に行うことができる。
【００４４】
また、トレイストッパ５０に設けられ、搬入方向について間隔を空けた位置に配される一対の被ガイド部５１，５２と、少なくとも２つの壁部である単位仕切壁３１及び底側壁３７のうちトレイストッパ５０が配される単位仕切壁３１または底側壁３７に設けられ、搬入方向に対して傾斜状をなし、一対の被ガイド部５１，５２のうちの一方の被ガイド部５１（５２）が摺接されることで隙間Ｓ１からのトレイストッパ５０の退避動作をガイドするガイド部５６（５７）と、を備えており、変位規制部５９（５８）は、ガイド部５７（５６）に連なるとともに一対の被ガイド部５１，５２のうちの他方の被ガイド部５２（５１）に当接される。このようにすれば、トレイストッパ５０は、一対の被ガイド部５１，５２のうちの一方の被ガイド部５１（５２）が、搬入方向に対して傾斜状をなすガイド部５６（５７）に摺接されることで、隙間Ｓ１からの退避動作がガイドされる。このとき、一対の被ガイド部５１，５２のうちの他方の被ガイド部５２（５１）は、トレイストッパ５０の退避動作の進行に伴って変位するものの、変位規制部５９（５８）に当接されることでそれ以上の変位が規制される。
【００４５】
＜実施形態２＞
本発明の実施形態２を図１２から図１５によって説明する。この実施形態２では、トレイストッパ側スプリングストッパ１４６，１４７の構成を変更したものを示す。なお、上記した実施形態１と同様の構造、作用及び効果について重複する説明は省略する。
【００４６】
本実施形態に係るトレイストッパ側スプリングストッパ１４６，１４７は、図１２に示すように、屈曲部１７０，１７１に連なる部分を上向き、つまりトレイストッパ１５０側に屈曲することで形成される基端側屈曲部（第２の屈曲部）７５，７６を有している。この基端側屈曲部７５，７６は、その屈曲角度が屈曲部１７０，１７１の屈曲角度よりも小さなものとされる。具体的には、基端側屈曲部７５，７６の屈曲角度は、例えば数°から十数°程度の範囲とされており、屈曲部１７０，１７１の屈曲角度（９０°）よりは遙かに小さなものとなっている。基端側屈曲部７５，７６は、屈曲部１７０，１７１に対して基端側に隣り合う配置とされる。トレイストッパ１５０が図１２に示される閉塞位置に配された状態では、被支持部１７２，１７３は、トレイストッパ側スプリングストッパ１４６，１４７のうち、基端側屈曲部７５，７６の基端側（屈曲部１７０，１７１側とは反対側）の端部付近に当接されている。なお、以下では基端側屈曲部７５，７６を区別する場合には、図１２に示す左側のものを第１基端側屈曲部７５とし、同図右側のものを第２基端側屈曲部７６とする。
【００４７】
このような構成によれば、図１２に示す左側から右側へ向けて搬入されるトレイ１２５によってトレイストッパ１５０が押圧されると、トレイストッパ１５０は、図１３に示すように、第１被ガイド部１５１を回動中心として時計回りに回動し、第２被ガイド部１５２が第２変位規制部１５９に当接されることで、第２被ガイド部１５２がそれ以上に下方へ変位するのが規制される。このとき、第２被支持部１７３は、撓み変形した第２トレイストッパ側スプリングストッパ１４７の第２屈曲部１７１からは離間していて第２基端側屈曲部７６に当接されている。この第２基端側屈曲部７６が第２変位規制部１５９に対してなす傾斜角度は、上記した実施形態１に記載した第２トレイストッパ側スプリングストッパ４７が第２変位規制部５９に対してなす傾斜角度（図９を参照）よりも小さなものとなっており、その差は第２基端側屈曲部７６の屈曲角度とほぼ等しい。従って、第２被支持部１７３は、図１４に示すように、第２トレイストッパ側スプリングストッパ１４７に沿って当接位置から基端側へより円滑にスライドするよう変位するものとされ、もってトレイストッパ１５０の退避動作が一層円滑なものとなる。その後、トレイストッパ１５０は、図１５に示すように、隙間Ｓ１から完全に退避した開放位置に達する。
【００４８】
以上説明したように本実施形態によれば、トレイストッパ側スプリングストッパ１４６，１４７は、屈曲部１７０，１７１に連なる部分をトレイストッパ１５０側に屈曲して形成され、その屈曲角度が屈曲部１７０，１７１の屈曲角度よりも小さい基端側屈曲部（第２の屈曲部）７５，７６を有する。このようにすれば、変位規制部１５９（１５８）によりトレイストッパ１５０の変位が規制された状態では、トレイストッパ１５０は、トレイストッパ側スプリングストッパ１４７（１４６）のうち屈曲部１７１（１７０）に連なる基端側屈曲部７６（７５）に当接される。基端側屈曲部７５，７６は、トレイストッパ側スプリングストッパ１４６，１４７をトレイストッパ１５０側に屈曲して形成され、その屈曲角度が屈曲部１７０，１７１の屈曲角度よりも小さいので、トレイストッパ１５０がトレイストッパ側スプリングストッパ１４７（１４６）に沿って基端側へより円滑にスライドするよう変位し、もってトレイストッパ１５０の退避動作が一層円滑化される。
【００４９】
＜実施形態３＞
本発明の実施形態３を図１６または図１７によって説明する。この実施形態３では、上記した実施形態２からトレイストッパ側スプリングストッパ２４６，２４７の構成を変更したものを示す。なお、上記した実施形態２と同様の構造、作用及び効果について重複する説明は省略する。
【００５０】
本実施形態に係るトレイストッパ側スプリングストッパ２４６，２４７は、図１６に示すように、屈曲部２７０，２７１の屈曲角度が鈍角となるよう形成されている。従って、屈曲部２７０，２７１は、閉塞位置とされたトレイストッパ２５０の開口部２５３ＯＰ内に差し込まれた状態では、対向状部２７４の側面（被支持部２７２，２７３との対向面）に対して傾斜状をなしている。ここで、仮に屈曲部が対向状部２７４の側面に対して平行をなしていると、トレイストッパ２５０が隙間Ｓ１から退避する動作や隙間Ｓ１に進出する動作を繰り返す内、屈曲部が対向状部２７４の側面に面接触して引っ掛かったままとなるおそれがある。その点、上記のように屈曲部２７０，２７１は、対向状部２７４の側面に対して傾斜状をなしていれば、トレイストッパ２５０が退避動作や進出動作を繰り返しても、図１７に示すように、屈曲部２７０，２７１が対向状部２７４の側面に線接触（側方から視て点接触）するので引っ掛かりが生じても外れ易くなっている。これにより、トレイストッパ２５０の機能を安定的に正常に発揮させることができる。
【００５１】
以上説明したように本実施形態によれば、トレイストッパ２５０は、トレイストッパ側スプリングストッパ２４６，２４７側に向けて開口して屈曲部２７０，２７１が差し込まれる開口部２５３ＯＰと、開口部２５３ＯＰの開口縁からなりトレイストッパ側スプリングストッパ２４６，２４７に当接されて支持される被支持部２７２，２７３と、開口部２５３ＯＰの開口縁からなり屈曲部２７０，２７１を挟んで被支持部２７２，２７３と対向状に配される対向状部２７４と、を少なくとも有しており、屈曲部２７０，２７１は、対向状部２７４の側面に対して傾斜状をなしている。このようにすれば、トレイストッパ２５０のうち開口部２５３ＯＰの開口縁からなる被支持部２７２，２７３は、トレイストッパ側スプリングストッパ２４６，２４７に当接されることで支持されている。このとき、トレイストッパ側スプリングストッパ２４６，２４７の屈曲部２７０，２７１は、トレイストッパ２５０の開口部２５３ＯＰに差し込まれている。ここで、仮に屈曲部が対向状部２７４の側面に対して平行をなしていると、トレイストッパ２５０が隙間Ｓ１から退避する動作や隙間Ｓ１に進出する動作を繰り返す内、屈曲部２７０，２７１が対向状部２７４の側面に面接触して引っ掛かったままとなるおそれがある。その点、屈曲部２７０，２７１は、対向状部２７４の側面に対して傾斜状をなしているから、トレイストッパ２５０が退避動作や進出動作を繰り返しても、屈曲部２７０，２７１が対向状部２７４の側面に線接触または点接触するので引っ掛かりが生じても外れ易くなっている。
【００５２】
＜他の実施形態＞
本発明は上記記述及び図面によって説明した実施形態に限定されるものではなく、例えば次のような実施形態も本発明の技術的範囲に含まれる。
（１）上記した実施形態では、冷温蔵装置として、仕切壁が貯蔵室内で固定されている構成の温冷配膳車を例示したが、これに限定されない。例えば、仕切壁が設けられたカートを、冷温蔵手段が設けられたステーションに収容する構成の冷温蔵装置を例示することも可能である。
（２）上記した実施形態以外にも、仕切壁の具体的な段数や配置態様は適宜に変更可能である。また、上記した実施形態では、仕切壁が複数の単位仕切壁から分割構成されているものを例示したが、これに限定されない。例えば、複数の単位仕切壁が一体的に形成されていてもよい。
（３）上記した実施形態において、トレイストッパが上側の単位仕切壁から下方に突出する構成としてもよい。この場合には、トレイストッパを自重によって元の位置に復帰させることができ、トレイストッパ側スプリングストッパを廃止することも可能となる。しかしながら、トレイの側面は、一般的に上方に向かうにつれてトレイの外側に向かう形状をなしている。このため、トレイストッパを下側の単位仕切壁から上方に突出する構成とした方が、２枚のトレイ間の隙間を塞ぎやすく好適である。
（４）上記した実施形態では、トレイストッパ及びシャッターが単位仕切壁に取り付けられた構成を代表して図示したが、仕切壁を構成する底側壁にトレイストッパ及びシャッターを取り付けた構成においては、底側壁に各ガイド部及び各変位規制部などを設けるようにすればよい。
（５）上記した実施形態では、断熱箱におけるＹ軸方向についての両端部にそれぞれトレイを搬入出可能な開口部を設けた構成を示したが、断熱箱におけるＹ軸方向についての片側の端部にのみトレイを搬入出可能な開口部を選択的に設けた構成であっても構わない。
（６）上記した（５）の構成を採る場合、トレイの搬入方向がＹ軸方向に沿う一方向のみとなることから、トレイストッパに対して搬入方向の手前側のみにガイド部を設けて奥側のガイド部を廃止し、搬入方向の奥側のみに変位規制部を設けて手前側の変位規制部を廃止することが可能となる
（７）上記した実施形態のように、断熱箱におけるＹ軸方向についての両端部にそれぞれトレイを搬入出可能な開口部を設けた構成であっても、トレイの搬入出が片方の開口部からのみ行われることが予め想定される場合には、上記した（６）の構成を採ることが可能である。つまり、上記した（６）の構成は、断熱箱におけるＹ軸方向についての片側の端部にのみトレイを搬入出可能な開口部を選択的に設けた構成を必ずしも前提としない。
（８）上記した実施形態３では、実施形態２の構成（基端側屈曲部）を前提とした場合を例示したが、基端側屈曲部を備えない実施形態１の構成を前提とすることも勿論可能である。
（９）上記した実施形態３に記載した基端側屈曲部の具体的な屈曲角度などの条件は適宜に変更可能である。要は、対向状部の側面に対して屈曲部が傾斜状をなす構成、つまり非平行となる構成であればよい。
【符号の説明】
【００５３】
１０…冷温蔵装置、１１…断熱箱、１６…貯蔵室、１７…冷蔵室、１８…温蔵室、２５，１２５…トレイ、３０…仕切壁、３１…単位仕切壁（壁部）、３７…底側壁（壁部）、４６，１４６，２４６…第１トレイストッパ側スプリングストッパ（弾性支持部）、４７，１４７，２４７…第２トレイストッパ側スプリングストッパ（弾性支持部）、５０，１５０，２５０…トレイストッパ、５１…第１被ガイド部（被ガイド部）、５２，１５２…第２被ガイド部（被ガイド部）、５３ＯＰ，２５３ＯＰ…開口部、５６…第１ガイド部（ガイド部）、５７…第２ガイド部（ガイド部）、５８，１５８…第１変位規制部（変位規制部）、５９，１５９…第２変位規制部（変位規制部）、７０，１７０，２７０…第１屈曲部（屈曲部）、７１，１７１，２７１…第２屈曲部（屈曲部）、７２，２７２…第１被支持部（被支持部）、７３，１７３，２７３…第２被支持部（被支持）、７４，２７４…対向状部、７５…第１基端側屈曲部（第２の屈曲部）、７６…第２基端側屈曲部（第２の屈曲部）、Ｓ１…隙間
【図１】
0006657018.tif 000002
【図２】
0006657018.tif 000003
【図３】
0006657018.tif 000004
【図４】
0006657018.tif 000005
【図５】
0006657018.tif 000006
【図６】
0006657018.tif 000007
【図７】
0006657018.tif 000008
【図８】
0006657018.tif 000009
【図９】
0006657018.tif 000010
【図１０】
0006657018.tif 000011
【図１１】
0006657018.tif 000012
【図１２】
0006657018.tif 000013
【図１３】
0006657018.tif 000014
【図１４】
0006657018.tif 000015
【図１５】
0006657018.tif 000016
【図１６】
0006657018.tif 000017
【図１７】
0006657018.tif 000018